(57)【要約】【課題】筐体空間をより効率的に活用することが出来ると共に、クリック感を発生させる操作においてクリック感にバラツキが無い電子機器を提供する。【解決手段】表示器側筐体１１、キー側筐体１２内に配置され切り替え動作を行うカメラモジュールと、リアケース１５に取り付けられて移動によりカメラモジュールを切り替え操作するマクロノブ２０とを備えた電子機器において、リアケース１５は、取り付けたマクロノブ２０が係止してマクロノブ２０の取付方向とは反対方向への移動を規制する爪状突起２３を有し、マクロノブ２０は、移動時にカメラモジュールの切り替え操作を行う凹部２５ａと爪状突起２３に係止可能な凸部２５ｃを有し、凸部２５ｃは、マクロノブ２０の取付方向へ弾性変形可能に構成され、マクロノブ２０の移動に伴い、爪状突起２３との係止状態に応じて節度感を発生させる。【選択図】図１
2008004389.tif 000002
【特許請求の範囲】
【請求項１】
ケース部材を有して構成される筐体と、
前記筐体内に配置される、切り替え動作を行う切替機構と、
前記ケース部材に移動自在に取り付けられて、移動により前記切替機構を切り替え操作する切替操作部と
を備えた電子機器において、
前記ケース部材は、前記切替操作部を取り付けることにより前記切替操作部が係止して、前記切替操作部の取付方向とは反対方向への移動を規制する係止部を有し、
前記切替操作部は、前記切替機構と係合して前記切替操作部の移動時に前記切替機構の切り替え操作を行う切替部、及び前記係止部に係止可能な被係止部を有して構成され、
前記被係止部は、前記切替操作部の取付方向へ弾性変形可能に構成され、前記切替操作部の移動に伴い、前記係止部との係止状態に応じて節度感を発生させることを特徴とする電子機器。
【請求項２】
前記係止部は、前記切替操作部の取付方向へ突出する凸部を有し、
前記被係止部は、前記切替操作部の取付方向に窪む凹部を有し、前記凹部が前記凸部を乗り越えることにより節度感を発生させることを特徴とする請求項１に記載の電子機器。
【請求項３】
前記係止部は、前記切替操作部の取付方向に傾斜してテーパー状に形成されていることを特徴とする請求項１又は２に記載の電子機器。
【発明の詳細な説明】
【技術分野】
【０００１】
本発明は、電子機器に関し、例えば、カメラモジュールが搭載され、カメラの焦点を手動で切り替える切替ノブを備えた電子機器に関する。
【背景技術】
【０００２】
近年、携帯電話装置やノートＰＣ（Ｐｅｒｓｏｎａｌ  Ｃｏｍｐｕｔｅｒ），ＰＤＡ（Ｐｅｒｓｏｎａｌ  Ｄｉｇｉｔａｌ  Ａｓｓｉｓｔａｎｔ）等の携帯型情報端末装置に、カメラモジュールを搭載したものが増えている。搭載するカメラモジュールは、単焦点のものからオートフォーカスのものまで幅広く使用されているが、焦点を手動で切り替えるタイプ（焦点切り替え型）の場合、焦点切り替えノブを外装ケースに固定したり、クリック（節度）感を出す工夫を凝らしたりする等、機構的には多少複雑な構造となる傾向がある。
【０００３】
この焦点切り替えノブのようなスライド操作部をスライドすることによりマクロ切替が可能な構成を有するものとして「モード切換用レバー機構を有するカメラ」（特許文献１参照）が知られている。
ここでは、従来の携帯電話装置の表示器側ケースを例にして、概略構造を説明する。携帯電話装置の表示器側ケースは、フロントケースとリアケースによって構成されており、焦点切り替え型のカメラモジュールが、それらのケースに収納されている。
【０００４】
図６は、従来の携帯電話装置の表示器側筐体に収納される焦点切り替え型のカメラモジュールを示し、（ａ）は平面図、（ｂ）は斜視図である。図６に示すように、カメラモジュール１には、焦点を切り替える切り替えレバー２が設けられており、この切り替えレバー２を操作するために、別部品として、カメラ焦点切り替えノブ（以下、マクロノブと称する）３を備えている。マクロノブ３をユーザが操作することで、間接的に切り替えレバー２を操作し（（ｂ）、白抜き矢印参照）、カメラモジュール１の鏡筒が回動して（（ｂ）矢印参照）カメラの焦点を切り替える仕組みになっている。
【０００５】
図６に示すように、マクロノブ３は、共に細板状の操作部３ａと作動部３ｂが連結部３ｃにより連結された平面視略横向きＨ形に形成されている。作動部３ｂには、切り替えレバー２を操作する凹部３ｄ、検出スイッチを操作する凸部３ｅ、及びクリック感を発生させる凸部３ｆが形成されている。
【０００６】
マクロノブ３は、通常、筐体側にスライド可能に装着されている。カメラモジュール１それ自体には、切り替えレバー２の操作時にクリック感を発生させないものが大半であるため、マクロノブ３側でクリック感を発生させる工夫が必要であり、マクロノブ３を筐体に装着する際には、クリック感を発生させる構造としての凸部３ｆも必要となる。また、カメラモジュール１には、焦点が変化したことを検出するセンサーも組み込まれていないため、マクロノブ３には焦点の変化を検出する検出スイッチ（図示しない）を操作する機能としての凸部３ｅも必要となる。
【０００７】
このように、マクロノブ３には、筐体にスライド可能に装着する機能、切り替えレバー２を操作する機能、検出スイッチを操作する機能、及びクリック感を発生させる機能の４つの機能を備えることが求められるが、従来の携帯電話装置においては、それぞれの機能が独立して備えられていた。この各機能が独立して備えられた従来の携帯電話装置を、フロントケースとリアケースの間にマクロノブが挟み込まれる構造を例に挙げて説明する。
【０００８】
図７は、従来の携帯電話装置の表示器側ケースの分解構成を概略的に示す全体説明図である。図８は、図７のリアケース４のマクロノブ装着部分を内面側から見た斜視説明図であり、（ａ）は、マクロノブのケース装着前の説明図、（ｂ）は装着後の説明図である。
図７に示すように、マクロノブ３は、表示器側筐体１１を構成するリアケース４とフロントケース５の何れか（リアケース４の例を図示）に仮固定された状態で、カメラモジュール１は、カメラレンズ１ａをリアケース４のカメラ窓４ａに位置させた状態で、それぞれリアケース４とフロントケース５の間に挟み込まれている。検出スイッチ６も同様に、リアケース４とフロントケース５の間に挟み込まれている。
【０００９】
図８に示すように、リアケース４のカメラ窓４ａ側の短辺に形成された周壁部４ｂは、切欠き状の凹部４ｃを有している。凹部４ｃの両側の周壁部４ｂの内面には、装着されたマクロノブ３を位置決めする爪状突起７ａ，７ｂが突設されており、一方の爪状突起７ａの下方のマクロノブスライド軌跡上には、山形状の凸部７ｃが形成されている。
図８に示すように、マクロノブ３を、リアケース４の壁部切欠き４ｂに落とし込み（（ａ）参照）、両爪状突起７ａ，７ｂに係止させる（（ｂ）参照）ことで、マクロノブ３が仮固定される。仮固定されたマクロノブ３は、マクロノブ長手方向（図面左右方向）にスライドさせても、両爪状突起７ａ，７ｂから外れることはない。
【００１０】
図８（ｂ）に示すように、リアケース４の周壁部４ｂに装着されたマクロノブ３は、切欠き４ｃに連結部３ｃが位置し、リアケース４の外側に操作部３ａが、リアケース４の内側に作動部３ｂが、それぞれ位置している。そして、マクロノブ３のスライド時、リアケース４の周壁部４ｂ内面に形成した凸部７ｃを、マクロノブ３の凸部３ｆが乗り越える際に、クリック感を発生させることが出来る。
【００１１】
上述したマクロノブ３と同様な構成を有するスライド部材を携帯端末装置の筐体の側面に配置したものとして、本出願人の出願に係る「電子機器」（特願２００４−３７８２１２参照）がある。図９は、本出願人の出願に係る「電子機器」のスライド部材装着部分を示す拡大説明図である。
【特許文献１】実開平０６−０４３６１１号公報
【発明の開示】
【発明が解決しようとする課題】
【００１２】
ところで、近年、携帯電話装置には薄型化が求められており、設計する上では筐体の容積効率を高めることが要求されている。特に、カメラモジュール周りには焦点切り替え構造やフラッシュ用のＬＥＤ（Ｌｉｇｈｔ  Ｅｍｉｔｔｉｎｇ  Ｄｉｏｄｅ）構造、防塵防水構造等の様々な構造を備えるための空間が必要となっている。
【００１３】
しかしながら、従来のマクロノブ構造においては、備えるべき複数の機能を実現するための構造（形状）を、その機能の数と同じ数だけ備えていたため、マクロノブ３のスライド時に必要とする空間を考慮すると空間的ロスが大きかった。具体的な例として、マクロノブ３とケースを結合する爪状突起６を設けた構造及びクリック感を発生させる構造を別々の場所に設けているため、空間をより効率的に使用する余地は十分にあった。
【００１４】
また、クリック感を発生させる際には、マクロノブ３のスライド操作による往復時にバラツキが無いことが理想であるが、マクロノブ３が片持ち構造である場合、往復時にクリック感のバラツキが出てしまうこともあり得る。つまり、マクロノブ３が片持ち構造であると、マクロノブ３のアームの先端部でクリック感を発生させているため、スライド操作のフィーリングが往復時で異なりクリック感のバラツキが生じてしまう。
【００１５】
図１０は、従来のマクロノブ構造におけるマクロノブ操作時のマクロノブの軌跡を示す説明図である。図１３に示すように、マクロノブ３は、スライド操作時にケース側の凸形状（周壁部４ｂ内面の山形状の凸部８）を乗り越える際、リアケース４の周壁部４ｂと略直交するケース内平面（Ｘ−Ｙ）方向に作動部３ｂが変位するため、スライド操作時のマクロノブ３の軌跡は乗り越え時にケース内側にはみ出る円弧状となる。この結果、マクロノブ３の移動空間を、乗り越え時のはみ出し部分を含むようにケース内側に大きめに確保する必要があった。
本発明の目的は、筐体空間をより効率的に活用することが出来ると共に、クリック感を発生させる操作においてクリック感にバラツキが無い電子機器を提供することである。
【課題を解決するための手段】
【００１６】
上記目的を達成するため、本発明に係る電子機器は、ケース部材を有して構成される筐体と、前記筐体内に配置される、切り替え動作を行う切替機構と、前記ケース部材に移動自在に取り付けられて、移動により前記切替機構を切り替え操作する切替操作部とを備えた電子機器において、前記ケース部材は、前記切替操作部を取り付けることにより前記切替操作部が係止して、前記切替操作部の取付方向とは反対方向への移動を規制する係止部を有し、前記切替操作部は、前記切替機構と係合して前記切替操作部の移動時に前記切替機構の切り替え操作を行う切替部、及び前記係止部に係止可能な被係止部を有して構成され、前記被係止部は、前記切替操作部の取付方向へ弾性変形可能に構成され、前記切替操作部の移動に伴い、前記係止部との係止状態に応じて節度感を発生させることを特徴としている。
【００１７】
また、本発明は、前記係止部は、前記切替操作部の取付方向へ突出する凸部を有し、
前記被係止部は、前記切替操作部の取付方向に窪む凹部を有し、前記凹部が前記凸部を乗り越えることにより節度感を発生させることを特徴とすることが好ましい。
また、本発明は、前記係止部は、前記切替操作部の取付方向に傾斜してテーパー状に形成されていることを特徴とすることが好ましい。
【発明の効果】
【００１８】
本発明によれば、筐体空間をより効率的に活用することが出来ると共に、クリック感を発生させる操作においてクリック感にバラツキが無い。
【発明を実施するための最良の形態】
【００１９】
以下、本発明を実施するための最良の形態について図面を参照して説明する。
図１は、本発明の一実施の形態に係る携帯電話機の開状態を示し、（ａ）は操作キー面側の斜視図、（ｂ）は操作キー面の裏面側の斜視図である。図１に示すように、電子機器としての携帯電話機１０は、第１筐体としての表示器側筐体１１と、第２筐体としてのキー側筐体１２を備えており、表示器側筐体１１とキー側筐体１２は、それぞれの一端部がヒンジ部１３を介して連結されることにより、自在に相互開閉することができる。
【００２０】
表示器側筐体１１は、フロントケース１４とリアケース（ケース部材）１５を重ね合わせて構成され、フロントケース１４には、液晶表示装置（Ｌｉｑｕｉｄ  Ｃｒｙｓｔａｌ  Ｄｉｓｐｌａｙ：ＬＣＤ）等の表示器１６が装着されている。キー側筐体１２は、キーフロントケース１７とキーリアケース１８を重ね合わせて構成され、キーフロントケース１７には、複数の操作キー１９が装着されている。
【００２１】
また、表示器側筐体１１には、カメラモジュール（切替機構、図６参照）が搭載されている。カメラモジュールは、カメラレンズをリアケース１５のカメラ窓１５ａに位置させた状態で、リアケース１５とフロントケース１４の間に挟み込まれている。このカメラモジュールは、焦点を手動で切り替えるタイプ（焦点切り替え型）であって、焦点を切り替える切り替えレバー（切替機構）が設けられており、切り替えレバーを操作するために、別部品として、後述するカメラ焦点切り替えノブ（以下、マクロノブと称する）を備えている（図２参照）。このマクロノブをユーザが手で操作することで、間接的に切り替えレバーを操作し、カメラモジュールの鏡筒が回動してカメラの焦点を切り替える仕組みになっている。
【００２２】
図２は、図１の表示器側筐体１１のリアケース１５の部分斜視図である。図２に示すように、表示器側筐体１１（図１参照）のリアケース１５には、マクロノブ（切替操作部）２０が装着されている。マクロノブ２０は、リアケース１５のヒンジ部１３側の周壁部１５ｂに、後述する操作部２４を周壁部１５ｂ外面側に露出させ、後述する作動部２５を周壁部１５ｂ内面側に位置させて、マクロノブ長手方向（図面左右方向）にスライド可能に取り付けられている。
【００２３】
図３は、図２のリアケース１５のマクロノブ装着部分を内面側から見た斜視説明図である。図３に示すように、リアケース１５のカメラ窓１５ａ側の短辺に形成された周壁部１５ｂは、切欠き状の凹部２１を有している。凹部２１の両側の周壁部１５ｂの内面には、装着されたマクロノブ２０を位置決めする爪状突起（係止部）２２，２３が突設されており、他方の爪状突起２３は、下端面２３ａが、下方に向けて山形状に突出して、即ち、両爪状突起２２，２３の下方のマクロノブスライド軌跡上に突出して、形成されている。
つまり、従来、山形状の凸部８（図８参照）が形成されていた一方の爪状突起２２の下方のマクロノブスライド軌跡上には、何も形成されていないが、従来、何も形成されていなかった他方の爪状突起２３の下方のマクロノブスライド軌跡上には、爪状突起２３の下端面２３ａが突出している（図２参照）。
【００２４】
図４は、マクロノブ２０をケース内に位置する作動部側から見た斜視図である。図４に示すように、マクロノブ２０は、共に細板状の操作部２４と作動部２５を二列に並置し連結部２６により連結した平面視略横向きＨ形に形成されている。
作動部２５は、カメラモジュールの切り替えレバー（図６参照）を操作する凹部（切替部）２５ａ、焦点が変化したことを検出する検出スイッチ（図示しない）を操作する凸部２５ｂ、及びクリック（節度）感を発生させる凸部（被係止部）２５ｃを有している。
【００２５】
凹部２５ａは、作動部２５の略中央の連結部２６との接続位置に連結部２６側に窪ませて形成されており、切り替えレバーが凹部２５ａ内に挿入係止することで、マクロノブ２０のスライド動作に伴って切り替えレバーが切り替え操作される。凸部２５ｂは、作動部２５の一方の端部に操作部２４側とは反対側に突出して形成されており、マクロノブ２０のスライド動作に伴って検出スイッチを操作する。検出スイッチは、凸部２５ｂにより操作することができるように、ケース内の凸部２５ｂ移動時に接触可能な位置に配置されている。
【００２６】
凸部２５ｃは、作動部２５の他方の端部の、マクロノブ２０のスライド方向に略直交する、作動部２５平面に沿った作動部２５上下方向の上端部に、上方に突出して形成されている。この凸部２５ｃに対応して、凸部２５ｃ下方の作動部２５には、凸部２５ｃが作動部２５上下方向に撓み易くするための、作動部２５の凸部２５ｃ側端に開口する凹部状の切欠き２５ｄが形成されている。この凸部２５ｃと凹部２５ａの間の作動部２５の上端部には、爪状突起２３の下端面２３ａの突出形状に対応して窪んだ形状の凹部（被係止部）２５ｅが形成されている。
【００２７】
つまり、従来、クリック感を発生させる凸部３ｆ（図６参照）が形成されていた作動部２５の操作部２４側の面には、凸部が形成されていないので、作動部２５の全域にわたる操作部２４側の面は凹凸の無い平坦面になっている。
このように、電子機器としての携帯電話機１０は、２つのケースが互いに係合されることにより構成される筐体（表示器側筐体１１とキー側筐体１２）と、筐体内に配置される、切り替え動作を行うカメラモジュールと、一方のケース（リアケース１５）の縁部に移動自在に取り付けられて、移動によりカメラモジュールを切り替え操作するマクロノブ２０とを備えている。
【００２８】
そして、リアケース１５は、マクロノブ２０を取り付けることによりマクロノブ２０が係止して、マクロノブ２０の取付方向とは反対方向への移動を規制する係止部（爪状突起２３）を有し、マクロノブ２０は、切り替えレバーと係合してマクロノブ２０の移動時に切り替えレバーの切り替え操作を行う凹部２５ａ、及び爪状突起２３に係止可能な被係止部（凸部２５ｃ）を有して構成され、凸部２５ｃは、マクロノブ２０の取付方向へ弾性変形可能に構成され、マクロノブ２０の移動に伴い、爪状突起２３との係止状態に応じて節度感を発生させる。
【００２９】
また、爪状突起２３は、マクロノブ２０の取付方向へ突出する凸部（下端面２３ａ）を有し、作動部２５は、爪状突起２３の凸部２３ａに対向してマクロノブ２０の取付方向とは反対方向に突出する凸部２５ｃを有すると共に、マクロノブ２０の取付方向に窪む凹部２５ｅを有し、凸部２５ｃが下端面２３ａを乗り越えることにより節度感を発生させると共に、凸部２５ｃが爪状突起２３に係止する、或いは爪状突起２３の凸部２３ａが作動部２５の凹部２５ｅに嵌合することにより、マクロノブ２０のスライド方向での位置決めがなされる。なお、係止部を、下端面２３ａが下方に向けて山形状に突出する爪状突起２３に形成する他、マクロノブ２０の取付方向に傾斜してテーパー状に形成してもよい。
【００３０】
図５は、マクロノブ２０の図中右方向へのスライド操作後における、図１の表示器側筐体１１のリアケース１５の部分斜視図である。図５に示すように、ケース外に露出する操作部２４に手を掛けてマクロノブ２０をスライド操作することにより、作動部２５がスライドして、凸部２５ｃが凹部状の切欠き２５ｄ側に撓んで爪状突起２３の下端面２３ａを乗り越えることにより、クリック感を発生させる。
マクロノブ２０をスライド操作する前、爪状突起２３の手前に位置していた凸部２５ｃ（図２参照）は、マクロノブ２０のスライド操作に伴って作動部２５がスライドし、爪状突起２３の下端面２３ａを乗り越える。凸部２５ｃが下端面２３ａを乗り越えた後、作動部２５の凹部２５ｅには下端面２３ａが入り込んだ状態となる（図５参照）。凸部２５ｃが下端面２３ａを乗り越えるとき、切欠き２５ｄにより凸部２５ｃが下方へ撓むことで、凸部２５ｃは下端面２３ａを容易に乗り越えることが出来る。
【００３１】
このマクロノブ２０の操作部２４は、リアケース１５の外側に露出しているので、ケース外側から操作部２４をマクロノブ長手方向（図面左右方向）にスライド操作することにより、連結部２６が凹部２１内を周壁部１５ｂに沿って移動し作動部２５をスライドさせることができる。作動部２５がスライドすることで、カメラの焦点を切り替える切り替えレバーを操作し、検出スイッチを操作し、更に、クリック感を発生させる。
【００３２】
上述したように、マクロノブ２０を固定するリアケース１５側の他方の爪状突起２３を従来よりも大きく設定し、クリック感を発生させる凸形状（下端面２３ａ）を爪状突起形状に一体的に盛り込む（図３参照）。この凸形状の先端は、Ｒ形状としてクリック感が滑らかになるような形状とする。マクロノブ２０側では、爪状突起２３に係止させていた部分に凹形状（凹部２５ｅ）を形成し、凸部２５ｃが下端面２３ａを乗り越える際に撓むような切り欠き形状（切欠き２５ｄ）を追加する（図４参照）。
【００３３】
実際にマクロノブ２０を操作した場合には、爪状突起２３の下端面２３ａを作動部２５の凸部２５ｃが乗り越える際にクリック感が発生する（図５参照）。同時に、リアケース１５側の凸形状（爪状突起２２，２３）はマクロノブ２０を固定し、マクロノブスライド時にも外れない構造とする。これにより、従来は別々に作成していた構造を１つの構造内で完結させることができ、
【００３４】
つまり、装着されたマクロノブ２０を位置決めする両爪状突起２２，２３の一方の爪状突起２３に、マクロノブ２０のスライド時に凸部２５ｃが乗り越える下端面２３ａを形成している。従って、マクロノブ２０をケースに固定する構造（爪状突起２３）とマクロノブ２０のクリック感を発生させる構造（下端面２３ａ）が一体的に形成されることになり、ケース固定構造とクリック感発生構造が別々に設けられていた従来構造に比べ、空間をより効率的に活用することが出来、筐体をコンパクトに構成することが出来る。
【００３５】
クリック感の発生は、マクロノブ２０の凸部２５ｃによる上下方向移動による変位で、従来の構造における、リアケース１５の周壁部１５ｂと略直交するケース内面方向への変位ではないため、スライド時のマクロノブ２０の移動軌跡は略周壁部１５ｂに沿う直線状となり、マクロノブ２０の移動空間をケース内面方向に大きめに確保する必要がなく、空間的に省スペース化することができる。
また、クリック感は、従来のマクロノブ３の左右方向（ケース内平面（Ｘ−Ｙ）方向）移動による変位で発生するのではなく、マクロノブ２０の凸部２５ｃによる上下方向（Ｚ方向）移動による変位で発生するので、マクロノブ２０の操作距離が伸びた場合にも可動領域を最小限に抑えることが出来る。
【００３６】
また、マクロノブ２０のスライド時、下端面２３ａを凸部２５ｃが乗り越える際の荷重が往時と復時で変わらないため、クリック感にバラツキが発生しないので、信頼性も向上する。つまり、従来は、マクロノブ２０の移動方向とクリック感を発生させるための撓み変化方向が同じであったため、マクロノブ２０の往復時でクリック感を発生させるための変化量は異なっていたが、本発明では、マクロノブ２０の移動方向とクリック感を発生させるための撓み変化方向が異なっており、マクロノブ２０の往復時におけるクリック感を発生させるための変化量、即ち、上下に撓む量は同一である。
【００３７】
以上、図示例に基づき説明したが、この発明は上述の例に限定されるものではなく、特許請求の範囲の記載範囲内で適宜変更し得るものであり、例えばこの発明は、折り畳み式だけでなく水平回転式、２軸ヒンジ式、又はストレートタイプの携帯電話機にも適用でき、更にはカメラモジュールを搭載したノートＰＣやＰＤＡ等の携帯情報端末装置にも適用することができる。
【図面の簡単な説明】
【００３８】
【図１】本発明の一実施の形態に係る携帯電話機の開状態を示し、（ａ）は操作キー面側の斜視図、（ｂ）は操作キー面の裏面側の斜視図である。
【図２】図１の表示器側筐体のリアケースの部分斜視図である。
【図３】図２のリアケースのマクロノブ装着部分を内面側から見た斜視説明図である。
【図４】マクロノブをケース内に位置する作動部側から見た斜視図である。
【図５】マクロノブのスライド操作後における、図１の表示器側筐体のリアケースの部分斜視図である。
【図６】従来の携帯電話装置の表示器側ケースに収納される焦点切り替え型のカメラモジュールを示し、（ａ）は平面図、（ｂ）は斜視図である。
【図７】従来の携帯電話装置の表示器側ケースの分解構成を概略的に示す全体説明図である。
【図８】図６のマクロノブのケース装着前後の状態を示し、（ａ）は装着前の説明図、（ｂ）は装着後の説明図である。
【図９】本出願人の出願に係る「電子機器」のスライド部材装着部分を示す拡大説明図である。
【図１０】従来のマクロノブ構造におけるマクロノブ操作時のマクロノブの軌跡を示す説明図である。
【符号の説明】
【００３９】
１０  携帯電話機
１１  表示器側筐体
１２  キー側筐体
１３  ヒンジ部
１４  フロントケース
１５  リアケース
１５ａ  カメラ窓
１５ｂ  周壁部
１６  表示器
１７  キーフロントケース
１８  キーリアケース
１９  操作キー
２０  マクロノブ
２１  凹部
２２，２３  爪状突起
２３ａ  下端面
２４  操作部
２５  作動部
２５ａ  凹部
２５ｂ  凸部
２５ｃ  凸部
２５ｄ  切欠き
２５ｅ  凹部
２６  連結部
【図１】
2008004389.tif 000003
【図２】
2008004389.tif 000004
【図３】
2008004389.tif 000005
【図４】
2008004389.tif 000006
【図５】
2008004389.tif 000007
【図６】
2008004389.tif 000008
【図７】
2008004389.tif 000009
【図８】
2008004389.tif 000010
【図９】
2008004389.tif 000011
【図１０】
2008004389.tif 000012